(57)【要約】      （修正有）【課題】排水時に、送風空気の損失を最小限に保ち、水の排出を円滑に行うことができるとともに、弁室における流体が流れる方向の長さを短くして小型化を可能にする排水用トラップを提供する。【解決手段】排水用トラップ１０は、排水通路中に横置きで介装される。排水用トラップ１０は、弁室１３を有する管状本体１１と、弁室１３内に設置された弁体１２を備えている。弁室１３は、管状本体１１に対し略垂直に設けられ隔壁部１７と、隔壁部１７に形成されている中央貫通孔１８と、を備えている。弁体１２は、中央貫通孔１８の略中心Ｏ２を通り、両端部を中央貫通孔１８の内周面の対向する箇所に各々設置させて、管状本体１１に対し略水平に取り付けられている枢軸２１と、中央貫通孔１８内に枢軸２１を支点として流体が流れる方向に回転自在に取り付けられ、所定以上の排水圧がかかっていないときに中央貫通孔１８を閉じる開閉弁２０と、を備えている。【選択図】図２
2019194427.tif 000002
【特許請求の範囲】
【請求項１】
排水通路中に介装される横置き型の排水用トラップであって、
上流側の前記排水通路と接続される流入口部と下流側の前記排水通路と接続される排出口部と前記流入口部と前記排出口部の間に設けられた弁室とを有する管状本体と、前記弁室内に設置された弁体を備え、
前記弁室は、
前記管状本体に対して略垂直に設けられ、前記管状本体内を前記流入口部側の空間と前記排出口部側の空間とに仕切る隔壁部と、
前記流入口部側の空間と前記排出口部側の空間とを連通するように前記隔壁部に形成された中央貫通孔を有し、
前記弁体は、
前記中央貫通孔の略中心を通り、両端部を前記中央貫通孔の内周面の対向する箇所に各々設置させて、前記管状本体に対して略水平に取り付けられている枢軸と、
前記中央貫通孔内に前記枢軸を支点として流体が流れる方向に回転自在に取り付けられ、所定以上の排水圧がかかっていないときに前記中央貫通孔を閉じている開閉弁と、
を備えることを特徴とする排水用トラップ。
【請求項２】
前記中央貫通孔の中心は、前記上流側の排水通路の中心線に対して上側に偏倚するように形成されていることを特徴とする請求項１記載の排水用トラップ。
【請求項３】
前記中央貫通孔の中心を、上流側の前記排水通路における最小径の内周面上部と略等しい位置に設定している、ことを特徴とする請求項１又は２に記載の排水用トラップ。
【請求項４】
前記開閉弁は、前記枢軸の下側に配置されている開閉弁下部が前記排水圧を受けて前記上流側から前記下流側に回転して開く、ことを特徴とする請求項１から３の何れか１項記載の排水用トラップ。
【請求項５】
前記開閉弁は、前記所定以上の排水圧がかかっていないときに、前記開閉弁を閉じ姿勢に付勢している付勢手段を有する、ことを特徴とする請求項１から４の何れか１項記載の排水用トラップ。
【請求項６】
前記付勢手段は、前記開閉弁の下部に取り付けられたバランスウエイトである、ことを特徴とする請求項５に記載の排水用トラップ。
【請求項７】
前記中央貫通孔の内周面に、前記開閉弁と当接して前記開閉弁の回転を閉じ位置で停止するように規制する段差を設けている、ことを特徴とする請求項１から６の何れか１項記載の排水用トラップ。
【請求項８】
前記隔壁部は、前記弁室に対して、前記弁体と一体に着脱可能に設けられている、請求項１から７の何れか１項記載の排水用トラップ。
【請求項９】
前記管状本体は、前記弁室を開放する取り外し可能な蓋を備える、ことを特徴とする請求項１から８の何れか１項記載の排水用トラップ。
【発明の詳細な説明】
【技術分野】
【０００１】
本発明は排水用トラップに関するものであり、特に、排水通路中に介装されて、排水通路の下流側から虫等が上流側に侵入するのを防止する、あるいは臭気が入るのを防止すること等ができる排水用トラップに関するものである。
【背景技術】
【０００２】
従来から、例えば、空調機においては、発生したドレンをドレンパンに収容し、このドレンパンのドレン排出口から、該ドレン排出口に接続した排水管を通じて屋外に排出するように構成している。ところが、排水管はドレンパンと外気を直接連通させた構造となっているため、その排水管を通じてドレンが室内に進入する、あるいは外気や臭気等が空調機内を通じて室内に進入するといった問題点が発生する。
【０００３】
このため、例えば特許文献１に記載されているように、空調機から室外側に導出した排水管（ドレンホース）の適所に排水用トラップを接続し、その排水トラップで外気との通気を遮断し、外部からの臭気が排水管を通じて室内側に侵入するのを防止するように構成している。
【０００４】
特許文献１には、トラップ主体内に、バランスウエイトを有する弁体を横方向に開閉させる取付座を水平に配置するとともに、排水用の流通孔を有する弁座を、前記取付座の一端部から底面部まで傾斜させて設け、取付座によりトラップ主体内を排水流入部と排水流出部とに区画している構造と、取付座に、着脱可能に取り付けられている取付台に弁体を揺動自在に取り付け、その弁体を弁座に常時当接させている構造と、排水時以外は空調機内の空気が逃げないように弁体を閉じておくための錘を弁体に設けた構造と、取付台をキャップ部材の取外しによって取付座から取外し可能に構成した構造等、を有した横置き型の排水用トラップの構造が開示されている。
【先行技術文献】
【特許文献】
【０００５】
【特許文献１】特開２０１０−２７５７６３号公報
【発明の概要】
【発明が解決しようとする課題】
【０００６】
特許文献１に記載の排水用トラップは、空調機内で発生した凝縮水（ドレン水）が排水通路の上流側から下流側に空気と共にするのを防止するのに、開閉弁(弁体)の封止を錘で行う、所謂、一方通行のキャッチ弁方式構造となっている。そのため、主に陽圧がかかっている空調機内で発生した凝縮水(ドレン水)を排出する場合、凝縮水だけを下流側に排出するのは困難で、陽圧のために排出口部側に水と空気が同時に排出されてしまう。そこで、水の排出と同時に空気が排出されるのを少なくするために、開閉弁を閉じておくための錘の重さを大きくしている。しかし、それ以上の空気圧が加わると、それに比例して空気の流出が発生して、水と一緒に空気も出てしまうという問題点があった。
【０００７】
また、特許文献１に記載の排水用トラップは、トラップ主体（弁室）内に取付座を水平に配置させて設けているとともに、流通孔を有する弁座を下流方向に向かって取付座の一端部から底面部まで傾斜させて設けている。したがって、いずれも流体が流れる方向におけるスペース、すなわち取付座を水平方向に設けるためのスペース、及び、弁体を弁座上に傾斜させて設置しておくためのスペース等を必要とするので、排水用トラップの流れ方向の長さが大きくなり、大形化するという問題点があった。そのため、小型化された排水用ストラップの構造が求められている。
【０００８】
そこで、排水時に、上流側排水通路の空気圧を遮断して、送風空気の損失を最小限に保ち、水の排出を円滑に行うことができるとともに、弁室における流体が流れる方向の長さを短くして小型化を可能にする排水用トラップを提供するために解決すべき技術的課題が生じてくるのであり、本発明はこの課題を解決することを目的とする。
【課題を解決するための手段】
【０００９】
上記目的を達成するために、本発明に係る排水トラップは、排水通路中に介装される横置き型の排水用トラップであって、上流側の前記排水通路と接続される流入口部と下流側の前記排水通路と接続される排出口部と前記流入口部と前記排出口部の間に設けられた弁室とを有する管状本体と、前記弁室内に設置された弁体を備え、前記弁室は、前記管状本体に対して略垂直に設けられ、前記管状本体内を前記流入口部側の空間と前記排出口部側の空間とに仕切る隔壁部と、前記流入口部側の空間と前記排出口部側の空間とを連通するように前記隔壁部に形成された中央貫通孔を有し、前記弁体は、前記中央貫通孔の略中心を通り、両端部を前記中央貫通孔の内周面の対向する箇所に各々設置させて、前記管状本体に対して略水平に取り付けられている枢軸と、前記中央貫通孔内に前記枢軸を支点として流体が流れる方向に回転自在に取り付けられ、所定以上の排水圧がかかっていないときに前記中央貫通孔を閉じている開閉弁と、を備える、排水用トラップを提供する。
【００１０】
この構成によれば、枢軸より上下に分かれる開閉弁の面積は略等しいため、上流側排水が流入口部を満たす水位までは、空調機が発生する陽圧又は、陰圧の空気圧によって、開閉弁を封止する力が働き、開閉弁を閉じ続ける。一度、排水が流入口部を満たして流入口部側が塞がれると、管状本体内部への陽圧又は、陰圧空気の遮断が発生する。この空気の遮断が発生すると、開閉弁上部に印加されていた空気圧力が減少し、開閉弁下部が満たされた排水の圧力で押されて開閉弁が押し開かれ、上流側排水が排出口部へと流出する。そして、排出が続き、流入口部の水位が下がると、陽圧又は、陰圧空気が管状本体にある開閉弁の上下の部分に再び印加されて開閉弁に封止する力が働くため、排水が制限される。この動作の繰り返しにより、送風空気の損失を最小限に保ち、凝縮水の排水が可能となる。
【００１１】
また、管状本体内を流入口部側の空間と排出口部側の空間に仕切る、中央貫通孔を有した隔壁部を、管状本体に対して略垂直に設けている。また、中央貫通孔の内周面に枢軸を設けるとともに、その中央貫通孔内に該中央貫通孔を開閉する開閉弁を、前記枢軸を支点として流体が流れる方向に回転自在にして取り付けている。すなわち、弁室内を流体が流れる方向における隔壁部の厚みと開閉弁の開閉移動範囲の関係では、隔壁部は開閉弁の開閉移動範囲内に設けられており、隔壁部の厚みは開閉弁の開閉移動範囲内に吸収された状態で設けられている。したがって、管状本体を設計するに当たって、流体が流れる方向における弁室の寸法は、隔壁部の厚みは無視して、開閉弁の開閉移動範囲が確保できる大きさだけで済む。これにより、弁室における流体が流れる方向の大きさを短くして、排水用トラップ全体の小型化を図ることが可能になる。
【００１２】
また、本発明に係る排水用トラップは、前記中央貫通孔の中心が、前記上流側の排水通路の中心線に対して上側に偏倚するように形成されていることが好ましい。
【００１３】
この構成により、上流側の排水通路において排水が所定水位に達すると、枢軸を挟んで開閉弁の上下に作用していた空気圧の均衡が保たれず、開閉弁の下部が排水の圧力で押されて開閉弁が押し開かれて、上流側排水が排出口部へと流出する。さらに、上流側の排水通路において排水が所定水位を下回ると、枢軸を挟んで開閉弁の上下に作用する空気圧が均衡して開閉弁に封止する力が働き、排水が制限される。
【００１４】
また、本発明に係る排水用トラップは、前記中央貫通孔の中心を、上流側の前記排水通路における最小径の内周面上部と略等しい位置に設定していることが好ましい。
【００１５】
この構成によれば、上流側排水が上流側の排水通路における最小径の内周面上部を満たす水位までは、空調機が発生する陽圧又は、陰圧の空気圧によって、開閉弁を封止する力が働き、開閉弁を閉じ続ける。一度、排水が上流側の排水通路における最小径の内周面上部を満たして管状本体内部への陽圧、陰圧空気の遮断が発生すると、開閉弁上部に印加されていた空気圧力が減少し、開閉弁下部が満たされた排水の圧力で押されて開閉弁が押し開かれ、上流側排水が排出口部へと流出する。そして、排出が続き、流入口部の水位が下がると、陽圧又は、陰圧空気が管状本体にある開閉弁の上下の部分に再び印加されて開閉弁に封止する力が働くため、排水が制限される。この動作の繰り返しにより、送風空気の損失を最小限に保ち、凝縮水の排水が可能となる。
【００１６】
また、本発明に係る排水用トラップは、前記開閉弁が、前記枢軸の下側に配置されている開閉弁下部が前記排水圧を受けて前記上流側から前記下流側に回転して開くことが好ましい。
【００１７】
この構成によれば、上流側排水が流入口部を満たし管状本体内部への陽圧、陰圧空気の遮断が発生すると、開閉弁上部に印加されていた空気圧力が減少し、開閉弁下部に満たされた排水圧が付与されて開閉弁を押し開き、排出口部へと流出する。
【００１８】
また、本発明に係る排水用トラップは、前記開閉弁が、前記所定以上の排水圧がかかっていないときに、前記開閉弁を閉じ姿勢に付勢している付勢手段を有することが好ましい。
【００１９】
この構成によれば、開閉弁に設けられている付勢手段により、弁体に閉方向の力を積極的に付与して、所定以上の排水圧を受けていないときに、確実に開閉弁を閉じておくことができる。
【００２０】
また、本発明に係る排水用トラップは、前記付勢手段が、前記開閉弁の下部に取り付けられたバランスウエイトであることが好ましい。
【００２１】
この構成によれば、開閉弁下部に設けられたバランスウエイトにより、弁体に閉方向の力を付与して、所定以上の排水圧を受けていないときに、確実に開閉弁を閉じておくことができる。
【００２２】
また、本発明に係る排水用トラップは、前記中央貫通孔の内周面に、前記開閉弁と当接して前記開閉弁の回転を閉じ位置で停止するように規制する段差を設けていることが好ましい。
【００２３】
この構成によれば、弁体の閉時、前記中央貫通孔の内周面に設けた段差により、弁体の回転を閉じ位置で規制し、確実に閉じておくことができる。
【００２４】
また、本発明に係る排水用トラップは、前記隔壁部が、前記弁室に対して、前記弁体と一体に着脱可能に設けられていることが好ましい。
【００２５】
この構成によれば、弁室内の掃除や部品交換等のメンテナンス作業を行うときに、隔壁部を弁室から弁体と共に取り外して、隔壁部と弁体及び弁室内の清掃や、部品交換等のメンテナンス作業を簡単に行うことができる。
【００２６】
また、本発明に係る排水用トラップは、前記管状本体が、前記弁室を開放する取り外し可能な蓋を備えることが好ましい。
【００２７】
この構成によれば、蓋を開放することができ、蓋を開放することにより、弁室内の掃除や部品交換等のメンテナンスの作業を容易に行うことができる。
【発明の効果】
【００２８】
発明によれば、排水時に、上流側排水通路の空気圧を遮断して、送風空気の損失を最小限に保ち、水だけを円滑に排出できるとともに、開閉弁が配置される弁室の大きさを小さくして、排水用トラップ全体の小型化を図ることができる。
【図面の簡単な説明】
【００２９】
【図１】本発明の一実施例として示す排水用トラップの正面図である。
【図２】図１のＡ−Ａ線断面図で、（ａ）は開閉弁が閉じられている状態の図、（ｂ）は開閉弁が開いている状態の図である。
【図３】同上排水用トラップにおける開閉弁の回転を閉じ位置で規制する構造を示す図２の拡大断面図あり、（ａ）は開閉弁が閉じられている状態の図、（ｂ）は弁体が開いている状態の図である。
【図４】本発明の変形例として示す排水用トラップの正面図である。
【図５】図４のＢ−Ｂ線断面図である。
【図６】図５に示す排水用トラップの開閉弁が開いている状態の図である。
【発明を実施するための形態】
【００３０】
本発明は、排水時に、上流側排水通路の空気圧を遮断して、送風空気の損失を最小限に保ち、水の排出を円滑に行うことができるとともに、弁室における流体が流れる方向の長さを短くして小型化を可能にする排水用トラップを提供すという目的を達成するために、排水通路中に介装される横置き型の排水用トラップであって、上流側の前記排水通路と接続される流入口部と下流側の前記排水通路と接続される排出口部と前記流入口部と前記排出口部の間に設けられた弁室とを有する管状本体と、前記弁室内に設置された弁体を備え、前記弁室は、前記管状本体に対して略垂直に設けられ、前記管状本体内を前記流入口部側の空間と前記排出口部側の空間とに仕切る隔壁部と、前記流入口部側の空間と前記排出口部側の空間とを連通するように前記隔壁部に形成された中央貫通孔を有し、前記弁体は、前記中央貫通孔の略中心を通り、両端部を前記中央貫通孔の内周面の対向する箇所に各々設置させて、前記管状本体に対して略水平に取り付けられている枢軸と、前記中央貫通孔内に前記枢軸を支点として流体が流れる方向に回転自在に取り付けられ、所定以上の排水圧がかかっていないときに前記中央貫通孔を閉じている開閉弁と、を備える、構成として実現した。
【００３１】
以下、本発明を実施するための形態を添付図面に基づいて詳細に説明する。なお、以下の説明では、実施形態の説明の全体を通じて同じ要素には同じ符号を付している。また、上下や左右等の方向を示す表現は、絶対的なものではなく、本発明の排水用トラップの各部が描かれている姿勢である場合に適切であるが、その姿勢が変化した場合には姿勢の変化に応じて変更して解釈されるべきものである。
【実施例】
【００３２】
図１及び図２は本発明に係る排水用トラップの一実施例を示すものであり、図１はその排水用トラップ１０の正面図、図２は図１のＡ−Ａ線断面図である。また、以下の説明において、図２の左右方向右側が排水通路の上流側、左側が排水通路の下流側、また上下方向を上下、紙面に垂直な方向を左右として説明する。
【００３３】
図１及び図２において、排水用トラップ１０は、管状本体１１と、管状本体１１内に設置された弁体１２等を備えている。
【００３４】
管状本体１１は、合成樹脂素材で管状に構成されているものであり、左右方向中央部分には、弁室１３が設けられている。管状本体１１は、弁室１３を挟んで相対する一端側にドレン水等の流体が排出されて来る上流側の排水通路と接続される管状をした流入口部１１ａが、他端側にドレン水等を排出する下流側の排水通路と接続される管状をした排出口部１１ｂが、それぞれ弁室１３から水平方向に延出して形成されている。なお、図中の符号Ｏ１は、管状本体１１の中心軸線を示す。また、符号２５で示す矢印は、ドレン水等の流体が流れる方向を示している。
【００３５】
また、弁室１３を形成している管状本体１１の一部には、管状本体１１の外周から上方に向かって垂直に延ばされ、上面に上部開口１１ｄを有するメンテナンス用筒部１１ｃが一体に形成されている。メンテナンス用筒部１１ｃは、平面視円形又は矩形状の筒体として形成されている。
【００３６】
メンテナンス用筒部１１ｃの上部開口１１ｄには、キャップとしての蓋１４が着脱自在に装着されている。したがって、メンテナンス用筒部１１ｃの上部に蓋１４が取り付けられているときには、上部開口１１ｄは蓋１４で閉じられ、反対に蓋１４が取り外されると、上部開口１１ｄが開かれて弁室１３の上部が開放されるようになっている。なお、メンテナンス用筒部１１ｃと蓋１４との係合手段には、特段の制限はないが、上部開口１１ｄの外周、すなわちメンテナンス用筒部１１ｃの外周面と蓋１４の内周面との間に、互いに係脱自在な突起と凹部を設けて係合させる等が考えられる。
【００３７】
また、管状本体１１内において、流入口部１１ａと弁室１３の間には、円形をした開口１５ａを有する壁部１５が、排出口部１１ｂと弁室１３の間には、同じく円形をした開口１６ａを有する壁部１６が、それぞれ管状本体１１に対して垂直に設けられている。本実施例では、流入口部１１ａ側の開口１５ａの内径と排出口部１１ｂ側の開口１６ａの内径は略等しく形成され、また、開口１５ａと開口１６ａの各中心も、管状本体１１の中心Ｏ１にそれぞれ一致させている。
【００３８】
また、弁室１３内には、その弁室１３内で、管状本体１１の内部を流入口部１１ａ側の空間１１Ａと排出口部１１ｂ側の空間１１Ｂとに区切る隔壁部１７が、管状本体１１に対して略垂直に設けられている。
【００３９】
隔壁部１７は、本実施例では管状本体１１と別体に形成されている。これは、弁室１３内を清掃するとき等に、メンテナンス用筒部１１ｃの蓋１４を取り外して上部開口１１ｄを開放させ、隔壁部１７を上方にスライドさせると、隔壁部１７を弁室１３内から抜き出して取り外せるようになっている。
【００４０】
なお、隔壁部１７の取り外しを必要としない場合には、隔壁部１７を管状本体１１と一体に成形しても差し支えない。また、隔壁部１７の弁室１３内における固定は、メンテナンス用筒部１１ｃ内に上下方向に延びるガイド溝を形成し、このガイド溝内に嵌合させてスライド可能に取り付ける方法、あるいは、メンテナンス用筒部１１ｃと隔壁部１７の間をビスで固定する方法等が考えられる。
【００４１】
隔壁部１７には、流入口部１１ａ側の空間１１Ａと排出口部１１ｂ側の空間１１Ｂを連通させるための中央貫通孔１８が設けられている。中央貫通孔１８は、略真円形をした孔であり、内径は壁部１５の開口１５ａの内径及び壁部１６の開口１６ａの内径と略等しく形成されている。本実施例では、中央貫通孔１８の内周が管状本体１１の中心Ｏ１と略一致し、中央貫通孔１８の中心Ｏ２が壁部１５の開口１５ａ及び壁部１６の開口１６ａの内周と略一致するようにして設けている。また、中央貫通孔１８の中心Ｏ２は、管状本体１１の中心Ｏ１よりも距離Ｈだけ上方に偏倚して設けられている。
【００４２】
なお、本実施例では、中央貫通孔１８の中心Ｏ２は、上流側の排水通路（流入口部１１ａ側の空間１１Ａ）における最小径の内周面上部、すなわち壁部１５における開口１５ａの内周面上部１５ａ１と略等しい位置に設けているが、内周面上部１５ａ１の上下方向周辺の位置であれば、厳密に内周面上部１５ａ１でなくてもよい。また、壁部１５を設けない場合では、最小径の内周面上部は、流入口部１１ａの内周面上部になり、中央貫通孔１８の中心Ｏ２は、この流入口部１１ａを基準にして設定する。
【００４３】
さらに、中央貫通孔１８の内周面には、中心Ｏ２を挟んで上側の一部に、弁体１２が排出口部１１ｂ側に回転するのを規制するストッパーとしての段差１９ａが設けられ、中心Ｏ２を挟んで下側の一部に、弁体１２が流入口部１１ａ側に回転するのを規制するストッパーとしての段差１９ｂが設けられている。
【００４４】
なお、図３には、中心Ｏ２を挟んで下側の一部に設けた段差１９ｂと弁体１２の一部を拡大して示しており、段差１９ｂは、中央貫通孔１８の内周面から、その内周面の一部を中心Ｏ２に向かって突出させて形成している。段差１９ａは、拡大図示していないが段差１９ｂと対称形に形成されている。
【００４５】
弁体１２は、開閉弁２０と、枢軸２１と、付勢手段２２と、軸受２３等で構成されている。
【００４６】
開閉弁２０は、略真円形をした円板として形成されている。開閉弁２０の外径は、中央貫通孔１８の内径よりも若干小さく、かつ、中央貫通孔１８内の段差１９ａ、１９ｂ間の距離よりも大きく形成されており、開閉弁２０は中央貫通孔１８内に配設可能になっている。
【００４７】
枢軸２１は、開閉弁２０の一方の外周面から、その開閉弁２０の中心Ｏ３を通って、開閉弁２０の他方の外周面より抜け出す状態にして、開閉弁２０と平行に一体化されている軸である。なお、開閉弁２０と枢軸２１は合成樹脂素材等で一体に成形してもよい。また、枢軸２１により、開閉弁２０は、枢軸２１の上側に配置される開閉弁上部２０ａと下側に配置される開閉弁下部２０ｂとに区分けされている。
【００４８】
そして、枢軸２１は、隔壁部１７の中央貫通孔１８内に設けられた一対の軸受２３、２３を介して中央貫通孔１８内に回転自在に取り付けられている。更に詳述すると、図１に示すように、枢軸２１は、中央貫通孔１８の略中心Ｏ２を通り、かつ、枢軸２１の両端側が中央貫通孔１８の内周面の相対向する位置にそれぞれ軸受２３、２３を介して配置され、管状本体１１に対し略水平な姿勢で、中央貫通孔１８内に開閉弁２０と一体に取り付けられている。
【００４９】
なお、中央貫通孔１８の中心Ｏ２は、管状本体１１の中心Ｏ１よりも距離Ｈだけ上方に偏倚しているので、中央貫通孔１８内に配置された枢軸２１は、図１及び図２に示すように、管状本体１１の中心Ｏ１よりも距離Ｈだけ上方に偏倚し、本実施例では、上流側の排水通路（流入口部１１ａ側の空間１１Ａ）における最小径の内周面上部１５ａ１と略等しい位置に設けられている。
【００５０】
そして、中央貫通孔１８内に枢軸２１が取り付けられた状態では、開閉弁２０は、同じく中央貫通孔１８内に流体が流れる方向と直交する状態にして配置され、枢軸２１と共に回転自在に取り付けられる。したがって、流体が矢印２５方向より流れて来ると、開閉弁２０は枢軸２１と共に流体が流れる方向に回転される。
【００５１】
付勢手段２２は、枢軸２１よりも下側の位置、すなわち枢軸２１の下側に配置されている開閉弁２０の開閉弁下部２０ｂの排出口側の面（空間１１Ｂと対向する面）に取り付けられたバランスウエイト（錘）である。
【００５２】
付勢手段２２は、自身が持つ重量によって、開閉弁２０に閉じ方向の回転力（付勢力）を常に付与している。したがって、開閉弁２０は、付勢手段２２の付勢力に打ち勝つ大きさ以上の排水圧、すなわち所定以上の排水圧が開閉弁２０にかかっていない間は、付勢手段２２の付勢力により閉じ姿勢を保ち、所定以上の排水圧がかかると開方向へ回転して開状態となるようになっている。
【００５３】
なお、付勢手段２２は、開閉弁２０に所定以上の排水圧がかかっていないとき、開閉弁２０を閉じ姿勢に保持できる手段であれば、バランスウエイト以外の、例えばバネ部材であってもよい。
【００５４】
このよう構成された排水用トラップ１０は、例えば空調機におけるドレン排出通路の途中に配設され、空調機内で発生した凝縮水(ドレン水)が排出通路の上流側から下流側に流出するのを制限する。したがって、管状本体１１の流入口部１１ａ側と排出口部１１ｂ側に、同じ排水系のドレン排出通路が接続される。
【００５５】
次に、本実施例に係る排水用トラップ１０の作用について説明する。
【００５６】
ドレン排出通路を通しての上流側排水が流入口部１１ａ（排水通路における最小径となる開口１５ａ）を満たす水位までは、空調機が発生する陽圧又は、陰圧の空気圧によって、枢軸２１より上下に分かれる開閉弁２０の面積は等しいため、開閉弁２０には付勢手段２２の付勢力により封止する力が働き、図２の（ａ）及び図３の（ａ）に示すように、開閉弁２０における開閉弁上部２０ａの外周縁部が段差１９ａに当接されると共に、開閉弁２０における開閉弁下部２０ｂの外周縁部が段差１９ｂに当接されて、開閉弁２０は中央貫通孔１８を閉じ続ける。したがって、この閉状態では、流入口部１１ａ側の空間１１Ａに溜まっている排水は、排出口部１１ｂ側の空間１１Ｂ側には流れない。
【００５７】
一方、空調機等の機器からの排水が、壁部１５における開口１５ａの内周面上部１５ａ１まで溜まり、流入口部１１ａ側の空間１１Ａ内を満たす水位になると、管状本体１１内部への陽圧又は、陰圧の空気圧が遮断され、開閉弁上部２０ａに印加されていた空気圧が減少する。
【００５８】
そして、満たされた排水の圧力が付勢手段２２の付勢力よりも勝ると、開閉弁下部２０ｂが排出口部１１ｂ側に押され、開閉弁２０が枢軸２１を支点として図２の（ｂ）及び図３の（ｂ）で示すように流体が流れる方向に回転する。すなわち、開閉弁２０が押し開かれ、中央貫通孔１８を通って排水が排出口部１１ｂへと流出する。
【００５９】
また、排出が続き、流入口部１１ａ側における空間１１Ａの水位が下がると、空調機が発生する陽圧又は、陰圧空気が管状本体１１にある開閉弁２０の開閉弁上部２０aと開閉弁下部２０ｂの部分に再び印加し、開閉弁２０に封止する力が働く。そして、開閉弁２０は、開閉弁下部２０ｂ、開閉弁上部２０ａが段差１９ａ、１９ｂとそれぞれ当接するまで、付勢手段２２の付勢作用によって、中央貫通孔１８を再び閉じ、排水が制限される。
【００６０】
上述した動作の繰り返しにより、送風空気の損失を最小限に保ち、凝縮水の排水が可能となる。また、排水が排出口部１１ｂ側の空間１１Ｂから流入口部１１ａ側の空間１１Ａ側に逆流するのを阻止すると同時に、外気や臭気等が逆流するのを阻止する。
【００６１】
また、使用途中において、排水用トラップ１０内に塵埃や異物等が溜ったり、詰まったりした場合には、蓋１４を取外し、更に隔壁部１７を弁体１２と共に弁室１３内から取り外すと、内部を容易に清掃することができ、かつ、部品の取替えもきわめて容易に実施することができる。
【００６２】
したがって、本実施例に係る排水用トラップ１０では、開閉弁２０の回転を支持する枢軸２１が、排水通路である管状本体１１の中心Ｏ１よりも上側に距離Ｈだけ偏倚して、上流側の排水通路における最小径の内周面上部１５ａ１と略等しい位置に設けている。そして、上流側排水が上流側の排水通路における最小径の内周面上部１５ａ１を満たす水位までは、空調機が発生する陽圧又は、陰圧の空気圧によって、開閉弁２０を封止する。
【００６３】
また、排水が内周面上部１５ａ１を満たす水位になると、管状本体１１の陽圧又は、陰圧空気の遮断が発生して開閉弁上部２０ａに印加されていた空気圧力が減少し、開閉弁下部２０ｂが満たされた排水の圧力で押されて開閉弁２０が押し開かれ、上流側排水が排出口部１１ｂへと流出する。
【００６４】
さらに、排出が続き、流入口部１１ａ側の水位が下がると、陽圧又は、陰圧空気が管状本体１１内にある開閉弁２０の上下の部分２０ａ、２０ｂに再び印加されて開閉弁２０に封止する力が働く。このようにして排水を制限する動作を繰り返すので、送風空気の損失を最小限に保ちつつ、凝縮水の排水が可能となる。
【００６５】
また、管状本体１１内を流入口部１１ａ側の空間１１Ａと排出口部１１ｂ側の空間１１Ｂに仕切る、中央貫通孔１８を有した隔壁部１７を、管状本体１１に対して略垂直に設けているとともに、中央貫通孔１８の内周面に枢軸２１を介して開閉弁２０を流体が流れる方向に回転自在にして取り付けている。すなわち、弁室１３内を流体が流れる方向における隔壁部１７の厚みと開閉弁２０の開閉移動範囲の関係は、開閉弁２０の開閉移動範囲内に隔壁部１７が設けられ、弁の開閉移動範囲内に隔壁部１７の厚みが吸収された状態で設けられている。
【００６６】
これにより、管状本体１１を設計するに当たっては、流体が流れる方向における弁室１３の寸法は、隔壁部１７の厚みは無視して、開閉弁２０の開閉移動範囲が確保できる大きさだけで済む。その結果、弁室１３における流体が流れる方向の大きさを短くして、排水用トラップ１０全体の小型化を図ることが可能になる。
【００６７】
また、開閉弁２０は、枢軸２１の下側に配置された開閉弁２０の開閉弁下部２０ｂが上流側から下流側に回転して開くようにしているので、上流側排水が流入口部１１ａを満たす水位まで溜まっても、開閉弁下部２０ｂが上流側から下流側に向かって回転されるようにして、開閉弁２０の全体が常に枢軸２１を支点にして回転され、中央貫通孔１８を開くので、開閉弁２０の開放をスムーズに行わせることができる。
【００６８】
また、中央貫通孔１８の内周面に、開閉弁２０の外周縁と当接して、開閉弁２０の回転を閉じ位置で規制するストッパーとしての段差１９ａ、１９ｂを設けているので、開閉弁２０の閉時、中央貫通孔１８の内周面に設けた段差１９ａ、１９ｂとの当接により、開閉弁２０の回転を閉じ位置で規制し、開閉弁２０を確実に閉じておくことができる。
【００６９】
また、管状本体１１には、弁室１３を開放する取り外し可能な蓋１４を設けているので、排水用トラップ１０内に塵埃や異物等が溜まったり、詰まったりした場合は、蓋１４を取り外し、また必要によっては隔壁部１７を弁体１２と共に取り外して、弁室１３内の掃除や部品交換等のメンテナンスの作業を容易に行うことができる。
【００７０】
次に、本発明の変形例に係る排水用トラップ１０の構成について、図面に基づいて説明する。なお、本変形例に係る排水用トラップ１０の構成は、以下に説明する構成を除き、上述した実施例に係る排水用トラップ１０と同様であり、重複する説明を省略する。
【００７１】
上流側の排水通路（流入口部１１ａ側の空間１１Ａ）の中心線Ｏ１１は、下流側の排水通路（流出口部１１ｂの空間１１Ｂ）の中心線Ｏ１２に対して上側に偏倚するように設けられている。
【００７２】
中央貫通孔１８の中心Ｏ２は、流入口部１１ａの中心線Ｏ１１上に配置されている。本変形例では、中央貫通孔１８の中心Ｏ２及び中央貫通孔１８内に配置された枢軸２１は、流入口部１１ａ側の空間１１Ａにおける最小径の内周面上部、すなわち壁部１５における内周面上部１５ａ１より下方に設定されている。これにより、上述した実施例に係る排水用トラップ１０と比較して、開閉弁２０が中心線Ｏ１１に接近した分だけ、空調機が発生する陽圧又は陰圧の空気圧は開閉弁２０に作用し易い。
【００７３】
中央貫通孔１８内径は、開口１５ａの内径及び開口１６ａの内径より大径に形成されている。
【００７４】
開閉弁２０は、隔壁部１７の中央貫通孔１８より僅かに大径に形成されており、開閉弁上部２０ａの一方面が隔壁部１７の上部側面に当接可能であり、開閉弁上部２０ａの他方面が隔壁部１７の下部側面に当接可能である。
【００７５】
次に、本変形例に係る排水用トラップ１０の作用について説明する。
【００７６】
ドレン排出通路を通しての上流側排水が、流入口部１１ａ（排水通路における最小径となる開口１５ａ）を満たす水位までは、空調機が発生する陽圧又は陰圧の空気圧は、枢軸２１を挟んで開閉弁上部２０ａと開閉弁下部２０ｂにそれぞれ略等しく作用する。
【００７７】
また、付勢手段２２の付勢力が開閉弁２０を閉じる方向に常に働いており、開閉弁２０は、中央貫通孔１８を閉じ続ける。したがって、このような閉状態では、流入口部１１ａ側の空間１１Ａに溜まっている排水は、排出口部１１ｂ側の空間１１Ｂ側には流れない。
【００７８】
次に、空調機等の機器からの排水が、壁部１５における開口１５ａの内周面上部１５ａ１まで溜まり、流入口部１１ａ側の空間１１Ａ内を満たす水位になると、管状本体１１内部への陽圧又は陰圧の空気圧が遮断され、開閉弁上部２０ａに印加されていた空気圧が減少する。
【００７９】
また、満たされた排水の圧力が付勢手段２２の付勢力を上回ると、開閉弁下部２０ｂが排出口部１１ｂ側に押され、開閉弁２０が枢軸２１を支点として図６に示すように流体が流れる方向に回転する。すなわち、開閉弁２０が押し開かれ、中央貫通孔１８を通って排水が排出口部１１ｂへと流出する。
【００８０】
次に、排出が続いて流入口部１１ａ側における空間１１Ａの水位が下がると、空調機が発生する陽圧又は陰圧の空気圧が開閉弁２０の開閉弁上部２０aと開閉弁下部２０ｂの部分に再び印加する。この際、中央貫通孔１８の中心Ｏ２が壁部１５の内周面上部１５ａ１より下方に設定されていることにより、上述した実施例に係る排水用トラップ１０と比較して、空調機が発生する陽圧又は陰圧の空気圧が開閉弁２０に作用し易い。
【００８１】
このような空調機が発生する陽圧又は陰圧の空気圧に加えて、付勢手段２２の付勢作用によって開閉弁２０を封止する力が働くため、開閉弁２０が隔壁部１７に当接して中央貫通孔１８を閉じる。これによって、流入口部１１ａ側の空間１１Ａに溜まっている排水が排出口部１１ｂ側の空間１１Ｂ側に流れることは制限される。
【００８２】
なお、本発明は、本発明の精神を逸脱しない限り種々の改変を成すことができ、そして、本発明が該改変されたものに及ぶことは当然である。
【符号の説明】
【００８３】
１０      排水用トラップ
１１      管状本体（排水通路）
１１Ａ    流入口部側の空間
１１Ｂ    排出口部側の空間
１１ａ    流入口部
１１ｂ    排出口部
１１ｃ    メンテナンス用筒部
１１ｄ    上部開口
１２      弁体
１３      弁室
１４      蓋
１５      壁部
１５ａ    開口
１６      壁部
１６ａ    開口
１７      隔壁部
１８      中央貫通孔
１９ａ、１９ｂ  段差
２０      開閉弁
２０ａ    開閉弁上部
２０ｂ    開閉弁下部 
２１      枢軸
２２      付勢手段
２３      軸受
２５      流体が流れる方向
Ｏ１      管状本体の中心軸線
Ｏ２      中央貫通孔の中心
Ｏ３      弁体の回転軸線
Ｈ        偏倚している距離
【図１】
2019194427.tif 000003
【図２】
2019194427.tif 000004
【図３】
2019194427.tif 000005
【図４】
2019194427.tif 000006
【図５】
2019194427.tif 000007
【図６】
2019194427.tif 000008